(57)【要約】    【課題】  リールユニット40の筐体20への着脱作業を容易にする。    【解決手段】  背面板24から前方へ突出する突出体30を設ける。突出体30には、前後方向に延びる第１ガイド35を設ける。フレーム50の下面には、第２ガイド57を設ける。リールユニット40を突出体30上に載置すると、第１ガイド35と第２ガイド57とが係合し、リールユニット40が第１ガイド35に沿って前後方向に案内される。フレーム50の背面には、位置決め部を設ける。リールユニット40を奥方向へ押し込んだときに位置決め部が到達する位置には、位置決め部と嵌り合う被位置決め部を設ける。突出体30の前端には、固定部34を設け、フレーム50の下面の前端には、被固定部59を設ける。位置決め部と被位置決め部とが嵌り合った状態で、被固定部59が固定部34に固定される。    【選択図】  図１
2005152430.tif 000002
【特許請求の範囲】
【請求項１】
前面に開口部を有し、背面には背面板を備える箱型の筐体と、
背面板の内面の所定位置から筐体の内方へ向けて突出する突出体と、
突出体の上に載置されて固定されるリールユニットとを備え、
リールユニットは、フレームと、フレームに固定される複数の支持板と、各支持板にそれぞれ固定されるモータと、各モータの回転軸にそれぞれ固定される回転リールとを備え、
突出体には、前後方向に延びる第１ガイドが設けられ、
フレームの下面には、リールユニットを突出体の上の所定位置に載置すると第１ガイドと係合する第２ガイドが設けられ、
第２ガイドは、第１ガイドと係合することにより、リールユニットを第１ガイドに沿って前後方向に案内するように形成され、
フレームの背面には、リールユニットの位置決めをするための位置決め部が設けられ、
リールユニットを第１ガイドに沿って後方へ所定距離移動させたときに位置決め部が到達する位置には、位置決め部と嵌り合う被位置決め部が設けられ、
突出体の前端には、フレームを固定するための固定部が設けられ、
フレームの下面の前端には、位置決め部と被位置決め部とが嵌り合った状態で固定部に固定される被固定部が設けられていることを特徴とするスロットマシン。
【請求項２】
フレームの背面には、フレームの背面から後方へ向けて突出する位置決めピンが設けられ、
リールユニットを第１ガイドに沿って後方へ所定距離移動させたときに位置決めピンが到達する位置には、位置決めピンと嵌り合う位置決め孔が設けられ、
位置決めピンを位置決め部とし、位置決め孔を被位置決め部としたことを特徴とする請求項１記載のスロットマシン。
【請求項３】
筐体は、左右の両側面にそれぞれ側面板を備え、
突出体と左右のいずれか一方又は双方の側面板との間には、隙間が設けられていることを特徴とする請求項１又は２記載のスロットマシン。
【発明の詳細な説明】
【技術分野】
【０００１】
本発明は、スロットマシンに関し、更に詳しくは、リールユニットを筐体の内部に簡単に固定できるようにしたスロットマシンに関するものである。
【背景技術】
【０００２】
従来から、スタートスイッチを操作すると、３個すべての回転リールの回転が開始し、ストップスイッチを操作すると、当該ストップスイッチに対応した回転リールの回転が停止し、３個すべての回転リールの回転を停止させたときに、所定の図柄が有効な入賞ライン上に揃うと、所定の利益が付与されるスロットマシンが提供されている。
この種のスロットマシンは、前面に開口部を有する箱型の筐体を備えている。また、筐体の前面には、開口部を開閉可能に塞ぐ前扉が設けられている。また、筐体の内部には、３個の回転リールを横並びに設けたリールユニットが固定されている。また、前扉のほぼ中央には、各回転リールの周囲に付されている２１個の図柄のうちの３個を見ることができる図柄表示窓が設けられている。また、図柄表示窓の下方には、回転リールの回転を開始させるためのスタートスイッチや、回転リールの回転を停止させるためのストップスイッチなどが設けられている。
【０００３】
そして、リールユニットの筐体への固定は、例えば、筐体の内部に、左右の側面板の間を橋渡しする棚板を設けて、この棚板の上にリールユニットを載置するとともに、リールユニットの下部の四隅を棚板にビスで留めることによって行われている。
また、筐体の背面板に複数の係止金具を設けるとともに、リールユニットの背面には、各係止金具にそれぞれ係止可能なフックを設け、各フックを各係止金具にそれぞれ係止させることにより、棚板を用いずに、リールユニットを筐体に固定することもある。
また、例えば、下記の特許文献１に開示されているスロットマシンは、前面に開口部を有する箱型の筐体を備えている。また、筐体の前面には、開口部を開閉可能に塞ぐ前扉が設けられている。また、前扉は、枠状部を有し、枠状部には、リールユニットや、遊技を制御するための制御装置などが着脱可能に設けられている。
【特許文献１】特開２００２−７９７号公報
【発明の開示】
【発明が解決しようとする課題】
【０００４】
しかし、上述した従来のスロットマシンでは、リールユニットを筐体や前扉の枠状部へ固定する作業が煩雑であった。
（請求項１）
そこで、請求項１記載の発明は、背面板の内面の所定位置から前方へ向けて突出する突出体を設け、この突出体の上にリールユニットを載せると、突出体に設けた第１ガイドとリールユニットのフレームの下面に設けた第２ガイドとが係合し、その後に第１ガイドに沿ってリールユニットを奥方向へ押し込むと、フレームの背面に設けた位置決め部と所定位置に設けた被位置決め部とが嵌り合って、筐体に対してリールユニットが位置決めされ、その後にフレームの下面の前端に設けた被固定部を突出体の前端に設けた固定部に固定すると、リールユニットが筐体内部の所定位置に固定されるようにして、リールユニットの固定作業を容易にしたスロットマシンを提供することを目的とする。
【０００５】
（請求項２）
また、請求項２記載の発明は、請求項１記載の発明の目的に加え、フレームの背面に、位置決め部としての位置決めピンを設けるとともに、所定位置には、被位置決め部としての位置決め孔を設け、リールユニットを第１ガイドに沿って奥方向へ押し込むと、位置決めピンと位置決め孔とが嵌り合うようにして、筐体に対するリールユニットの位置決めが比較的簡単な構成で確実に行えるようにしたスロットマシンを提供することを目的とする。
（請求項３）
更に、請求項３記載の発明は、請求項１又は２記載の発明の目的に加え、突出体と左右のいずれか一方又は双方の側面板との間に、隙間を設けることにより、ハーネスの配線を容易にしたスロットマシンを提供することを目的とする。
【課題を解決するための手段】
【０００６】
（請求項１）
請求項１記載の発明は、スロットマシンに係るものであって、前面に開口部を有し、背面には背面板（24）を備える箱型の筐体（20）と、背面板（24）の内面の所定位置から筐体（20）の内方へ向けて突出する突出体（30）と、突出体（30）の上に載置されて固定されるリールユニット（40）とを備え、リールユニット（40）は、フレーム（50）と、フレーム（50）に固定される複数の支持板（70）と、各支持板（70）にそれぞれ固定されるモータ（80）と、各モータ（80）の回転軸にそれぞれ固定される回転リール（90）とを備え、突出体（30）には、前後方向に延びる第１ガイド（35）が設けられ、フレーム（50）の下面には、リールユニット（40）を突出体（30）の上の所定位置に載置すると第１ガイド（35）と係合する第２ガイド（57）が設けられ、第２ガイド（57）は、第１ガイド（35）と係合することにより、リールユニット（40）を第１ガイド（35）に沿って前後方向に案内するように形成され、フレーム（50）の背面には、リールユニット（40）の位置決めをするための位置決め部が設けられ、リールユニット（40）を第１ガイド（35）に沿って後方へ所定距離移動させたときに位置決め部が到達する位置には、位置決め部と嵌り合う被位置決め部が設けられ、突出体（30）の前端には、フレーム（50）を固定するための固定部（34）が設けられ、フレーム（50）の下面の前端には、位置決め部と被位置決め部とが嵌り合った状態で固定部（34）に固定される被固定部（59）が設けられていることを特徴とする。
【０００７】
ここで、「突出体（30）」は、背面板（24）の内面の所定位置から筐体（20）の内方へ向けて突出するものである。つまり、突出体（30）は、背面板（24）の内面の所定位置から前方へ向けて突出するものである。
また、突出体（30）には、「第１ガイド（35）」が設けられ、また、フレーム（50）の下面には、「第２ガイド（57）」が設けられている。また、「第１ガイド（35）」は、前後方向に延びるように形成されている。また、「第２ガイド（57）」は、リールユニット（40）を突出体（30）の上の所定位置に載置すると、第１ガイド（35）と係合するように形成されている。また、「第２ガイド（57）」は、第１ガイド（35）と係合することにより、リールユニット（40）を第１ガイド（35）に沿って前後方向に案内するように形成されている。つまり、第１ガイド（35）と第２ガイド（57）とが係合した状態では、リールユニット（40）は、突出体（30）の上を前後方向に摺動移動可能となる。
【０００８】
また、フレーム（50）の背面には、リールユニット（40）の位置決めをするための「位置決め部」が設けられ、また、リールユニット（40）を第１ガイド（35）に沿って後方へ所定距離移動させたときに位置決め部が到達する位置には、位置決め部と嵌り合う「被位置決め部」が設けられている。つまり、「位置決め部」は、リールユニット（40）の位置決めをするためのものであって、フレーム（50）の背面に設けられている。また、「被位置決め部」は、位置決め部と嵌り合うものであって、例えば、筐体（20）の背面板（24）の所定位置に設けることができる。また、例えば、筐体（20）の背面板（24）に所定の部材を取り付け、この所定の部材に「被位置決め部」を設けることもできる。つまり、「被位置決め部」は、例えば、筐体（20）の背面板（24）に直に設けることができ、また、筐体（20）の背面板（24）に間接的に設けることもできる。また、例えば、突出体（30）を、所定の部材とすることもできる。つまり、突出体（30）に「被位置決め部」を設けることもできる。そして、リールユニット（40）を第１ガイド（35）に沿って後方へ所定距離移動させると、つまり、リールユニット（40）を奥方向へ押し込むと、「位置決め部」と「被位置決め部」とが嵌り合う。そして、「位置決め部」と「被位置決め部」とが嵌り合うと、筐体（20）に対してリールユニット（40）が位置決めされる。また、例えば、リールユニット（40）を第１ガイド（35）に沿って後方へ所定距離移動させると、リールユニット（40）の背面が背面板（24）の内面に当接し、このとき、「位置決め部」と「被位置決め部」とが嵌り合うようにすることができる。また、「位置決め部」は、例えば、後方へ向けて突出するピン状に形成することができ、この場合、「被位置決め部」は、例えば、ピン状の位置決め部がすっぽり嵌る孔状に形成することができる。また逆に、例えば、前方へ向けて突出するピン状に「被位置決め部」を形成することができ、この場合、例えば、ピン状の被位置決め部がすっぽり嵌る孔状に「位置決め部」を形成することができる。
【０００９】
また、突出体（30）の前端には、フレーム（50）を固定するための「固定部（34）」が設けられ、また、フレーム（50）の下面の前端には、位置決め部と被位置決め部とが嵌り合った状態で固定部（34）に固定される「被固定部（59）」が設けられている。つまり、「固定部（34）」は、フレーム（50）を固定するためのものであって、突出体（30）の前端に設けられている。また、「被固定部（59）」は、固定部（34）に固定されるものであって、フレーム（50）の下面の前端に設けられている。また、上述したように、リールユニット（40）を第１ガイド（35）に沿って後方へ所定距離移動させると、位置決め部と被位置決め部とが嵌り合って、筐体（20）に対してリールユニット（40）が位置決めされるが、「被固定部（59）」の「固定部（34）」への固定は、この状態で行われる。そして、位置決め部と被位置決め部とが嵌り合って、筐体（20）に対してリールユニット（40）が位置決めされた状態で、「被固定部（59）」が「固定部（34）」に固定されると、リールユニット（40）が筐体（20）に対して左右方向にも上下方向にも前後方向にも動かなくなり、筐体（20）の内部の所定位置にリールユニット（40）が固定されることとなる。また、「被固定部（59）」の「固定部（34）」への固定は、例えば、ネジ止めによって行うことができる。
【００１０】
（請求項２）
請求項２記載の発明は、請求項１記載のスロットマシンを限定したものであって、フレーム（50）の背面には、フレーム（50）の背面から後方へ向けて突出する位置決めピン（58）が設けられ、リールユニット（40）を第１ガイド（35）に沿って後方へ所定距離移動させたときに位置決めピン（58）が到達する位置には、位置決めピン（58）と嵌り合う位置決め孔（36）が設けられ、位置決めピン（58）を位置決め部とし、位置決め孔（36）を被位置決め部としたことを特徴とする。
ここで、位置決め部としての「位置決めピン（58）」は、リールユニット（40）の位置決めをするためのものであって、フレーム（50）の背面に設けられ、フレーム（50）の背面から後方へ向けて突出するように形成される。
【００１１】
また、被位置決め部としての「位置決め孔（36）」は、位置決めピン（58）と嵌り合うものであって、例えば、筐体（20）の背面板（24）の所定位置に設けることができる。また、例えば、筐体（20）の背面板（24）に所定の部材を取り付け、この所定の部材に被位置決め部としての「位置決め孔（36）」を設けることもできる。つまり、被位置決め部としての「位置決め孔（36）」は、例えば、筐体（20）の背面板（24）に直に設けることができ、また、筐体（20）の背面板（24）に間接的に設けることもできる。また、例えば、突出体（30）を、所定の部材とすることもできる。つまり、突出体（30）に被位置決め部としての「位置決め孔（36）」を設けることもできる。そして、リールユニット（40）を第１ガイド（35）に沿って後方へ所定距離移動させると、位置決め部としての「位置決めピン（58）」と被位置決め部としての「位置決め孔（36）」とが嵌り合う。そして、位置決め部としての「位置決めピン（58）」と被位置決め部としての「位置決め孔（36）」とが嵌り合うと、筐体（20）に対してリールユニット（40）が位置決めされる。
【００１２】
（請求項３）
請求項３記載の発明は、請求項１又は２記載のスロットマシンを限定したものであって、筐体（20）は、左右の両側面にそれぞれ側面板（23）を備え、突出体（30）と左右のいずれか一方又は双方の側面板（23）との間には、隙間が設けられていることを特徴とする。
ここで、「隙間」は、突出体（30）と左右のいずれか一方の側面板（23）との間にのみ設けてもよく、また、突出体（30）と左右の双方の側面板（23）との間に設けてもよい。
【発明の効果】
【００１３】
（請求項１）
請求項１記載の発明によれば、背面板の内面の所定位置から前方へ向けて突出する突出体が設けられ、この突出体の上にリールユニットを載せると、突出体に設けられている第１ガイドとリールユニットのフレームの下面に設けられている第２ガイドとが係合し、その後に第１ガイドに沿ってリールユニットを奥方向へ押し込むと、フレームの背面に設けられている位置決め部と所定位置に設けられている被位置決め部とが嵌り合って、筐体に対してリールユニットが位置決めされ、その後にフレームの下面の前端に設けた被固定部を突出体の前端に設けた固定部に固定すると、リールユニットが筐体内部の所定位置に固定される。したがって、リールユニットの固定作業を容易にすることができるのである。
【００１４】
（請求項２）
また、請求項２記載の発明によれば、フレームの背面に、位置決め部としての位置決めピンが設けられるとともに、所定位置には、被位置決め部としての位置決め孔が設けられる。そして、リールユニットを第１ガイドに沿って奥方向へ押し込むと、位置決めピンと位置決め孔とが嵌り合って、筐体に対してリールユニットが位置決めされる。したがって、筐体に対するリールユニットの位置決めが比較的簡単な構成で確実に行えるのである。
（請求項３）
更に、請求項３記載の発明によれば、突出体と側面板との間に隙間が設けられる。したがって、ハーネスの配線を容易にすることができるのである。
【発明を実施するための最良の形態】
【００１５】
（図面の説明）
図１ないし図１２は、本発明の実施の形態を示すものである。
図１は、筐体20、突出体30及びリールユニット40の斜視図、図２は、筐体20、突出体30及びリールユニット40の正面図、図３は、突出体30及びリールユニット40の側面図（分離した状態）、図４は、突出体30及びリールユニット40の側面図（係合した状態）、図５は、突出体30及びリールユニット40の下面図（分離した状態）、図６は、突出体30及びリールユニット40の下面図（係合した状態）、図７は、突出体30及びリールユニット40の背面図（分離した状態）、図８は、突出体30及びリールユニット40の背面図（係合した状態）、図９は、リールユニット40の上面図、図１０は、筐体20、突出体30及びリールユニット40の側断面図（分離した状態）、図１１は、筐体20、突出体30及びリールユニット40の側断面図（係合した状態）、図１２は、筐体20の要部背面図である。
【００１６】
（スロットマシン）
図１に示すように、本実施の形態に係るスロットマシンは、前面に開口部を有する箱型の筐体20を備えている。また、図示しないが、筐体20の前面には、開口部を塞ぐ前扉が設けられている。また、図１及び図２に示すように、筐体20の内部には、３個の回転リール90を横並びに設けたリールユニット40が備えられている。また、図示しないが、前扉には、３個の回転リール90を見るための図柄表示窓や、回転リール90の回転を開始させるためのスタートスイッチや、回転リール90の回転を停止させるためのストップスイッチなどが設けられている。
【００１７】
（筐体20）
図１に示すように、筐体20は、四角箱型に形成されており、前面には開口部を有し、下面には底板21を備え、上面には天板22を備え、左右両側にはそれぞれ側面板23を備え、背面には背面板24を備えている。
また、図１２に示すように、背面板24のほぼ中央には、背面板24を貫通する横長四角形の貫通大孔25が設けられている。また、貫通大孔25の下方の所定位置には、２つの貫通小孔26と、６つの取付用ネジ孔27とが設けられている。
（突出体30）
図１、図１０及び図１１に示すように、突出体30は、背面板24の内面の所定位置から筐体20の内方へ向けて突出している。つまり、突出体30は、背面板24の内面の所定位置から前方へ向けて突出している。
【００１８】
また、図１及び図２に示すように、突出体30と左右の双方の側面板23との間には、隙間が設けられている。
また、図３ないし図８に示すように、突出体30は、背面板24に取り付けられる平板状の取付部31と、取付部31から前方へ向けて突出する前方突出部32と、前方突出部32の前半分の上面に設けられている平板状の上面部33と、前方突出部32の前端に設けられている平板状の固定部34とを有している。
また、取付部31の所定位置には、６つの取付用貫通孔37が設けられている。そして、取付部31を背面板24の内面の所定位置に押し当てて、各取付用貫通孔37を通した取付用ネジをそれぞれ背面板24の各取付用ネジ孔27に止めると、取付部31が背面板24の所定位置に取り付けられ、ひいては突出体30が背面板24の所定位置に取り付けられるようになっている。
【００１９】
また、取付部31の所定位置には、被位置決め部としての２つの位置決め孔36が設けられている。また、２つの位置決め孔36は、所定間隔をあけて横並びに設けられている。また、突出体30を背面板24の所定位置に取り付けた状態では、各位置決め孔36は、それぞれ、背面板24の各貫通小孔26の前方に位置するようになっている。つまり、突出体30を背面板24の所定位置に取り付けた状態では、各位置決め孔36の中心は、各貫通小孔26の中心と一致するようになっている。
また、前方突出部32の前半分の上面は、水平に形成され、また、前方突出部32の後半分の上面は、前方から後方へ向かうに従って次第に上方へ上がるように傾斜している。また、前方突出部32の下面は、水平に形成されている。そして、本実施の形態では、前方突出部32が、前後方向に延びる第１ガイド35となっている。
【００２０】
また、上面部33は、水平に形成されている。
また、固定部34は、取付部31と平行に形成されている。また、固定部34の中央付近には、固定用ネジ孔38が設けられている。また、固定用ネジ孔38の両側には、固定部34の前面から前方へ向けて突出する２つの前面位置決め突起39が設けられている。
また、本実施の形態では、突出体30は、金属製であり、板金加工によって一体的に形成されている。
（リールユニット40）
図１ないし図１１に示すように、リールユニット40は、フレーム50と、このフレーム50に固定される３枚の支持板70と、各支持板70にそれぞれ固定されるモータ80と、各モータ80の回転軸にそれぞれ固定される回転リール90とを備えている。
【００２１】
また、フレーム50は、前面に開口部を有する箱型に形成されており、下面には下面板51を備え、上面には上面板52を備え、左右両側にはそれぞれ横面板53を備え、背面には後面板54を備えている。また、下面板51は、前方から後方へ向かうに従って次第に上方へ上がるように傾斜し、また、上面板52は、前方から後方へ向かうに従って次第に下方へ下がるように傾斜し、また、右側の横面板53は、前方から後方へ向かうに従って次第に左側へ向かうように傾斜し、また、左側の横面板53は、前方から後方へ向かうに従って次第に右側へ向かうように傾斜している。つまり、フレーム50は、後方がやや窄んだ形状に形成されている。また、後面板54は、後方が凸になるように湾曲している。また、後面板54の中央には、後方へ向けて突出する後方突出部55が設けられている。
【００２２】
また、本実施の形態では、フレーム50は、合成樹脂製であり、射出成型によって一体的に形成されている。
また、フレーム50の内部には、３枚の支持板70が所定間隔をあけて平行に固定されている。具体的には、各支持板70は、それぞれ、その前面下端を下面板51の前端の所定位置にネジ止めされるとともに、その前面上端を上面板52の前端の所定位置にネジ止めされて、フレーム50に固定されている。
また、各支持板70のほぼ中央には、それぞれ、モータ80が固定され、また、各モータ80の回転軸には、それぞれ、回転リール90が固定されている。
【００２３】
また、フレーム50の下面には、リールユニット40を突出体30の上の所定位置に載置すると第１ガイド35と係合する第２ガイド57が設けられている。具体的には、フレーム50の下面板51の下面には、２つのリブ56が平行に設けられている。また、各リブ56は、下面板51の下面から下方へ向けて突出する板状に形成されており、かつ、下面板51の前端から後端まで延びている。また、一方のリブ56は、左側の回転リール90の下方に位置するように設けられ、また、他方のリブ56は、右側の回転リール90の下方に位置するように設けられている。また、２つのリブ56の間隔は、突出体30の前方突出部32の幅よりもわずかに広くなっている。これにより、２つのリブ56の間に、突出体30の前方突出部32、つまり、第１ガイド35が収まるようになっている。そして、本実施の形態では、２つのリブ56が、第２ガイド57となっている。また、上述したように、第１ガイド35は、前後方向に延びており、また、第２ガイド57は、第１ガイド35を両側から挟み込むようになっている。これにより、第２ガイド57は、第１ガイド35と係合して、リールユニット40を第１ガイド35に沿って前後方向に案内するようになっている。
【００２４】
また、フレーム50の背面には、リールユニット40の位置決めをするための位置決め部が設けられている。具体的には、フレーム50の後面板54の背面には、位置決め部としての２つの位置決めピン58が設けられている。また、２つの位置決めピン58は、後面板54の背面におけるやや下寄りの位置に、所定間隔をあけて横並びに設けられている。また、各位置決めピン58は、それぞれ、ほぼ円錐状に形成されており、後方へ向けて突出している。
また、リールユニット40を第１ガイド35に沿って後方へ所定距離移動させたときに位置決め部が到達する位置には、位置決め部と嵌り合う被位置決め部が設けられている。つまり、上述した被位置決め部としての各位置決め孔36は、リールユニット40を第１ガイド35に沿って後方へ所定距離移動させたときに位置決め部としての各位置決めピン58が到達する位置に設けられている。そして、リールユニット40を奥方向へ押し込むようにして第１ガイド35に沿って後方へ摺動移動させ、リールユニット40の背面を背面板24の内面に当接させると、位置決め部としての各位置決めピン58が、被位置決め部としての各位置決め孔36にそれぞれ嵌るようになっている。これにより、筐体20に対してのリールユニット40の上下方向及び左右方向の移動が規制される。つまり、筐体20に対してリールユニット40が位置決めされる。
【００２５】
また、各位置決めピン58と各位置決め孔36とが嵌り合って、筐体20に対してリールユニット40が位置決めされた状態では、各位置決めピン58の先端付近は、背面板24の各貫通小孔26内に収まるようになっている。
また、各位置決めピン58と各位置決め孔36とが嵌り合って、筐体20に対してリールユニット40が位置決めされた状態では、後面板54の後方突出部55は、背面板24の貫通大孔25内に収まるようになっている。
また、フレーム50の下面の前端には、位置決め部と被位置決め部とが嵌り合った状態で固定部34に固定される被固定部59が設けられている。具体的には、フレーム50の下面板51の前端には、被固定部59が設けられている。被固定部59は、図１０及び図１１に示すように、側断面が「コ」字形に形成されている。そして、各位置決めピン58と各位置決め孔36とが嵌り合って、筐体20に対してリールユニット40が位置決めされた状態では、被固定部59が固定部34を覆うようになっている。つまり、各位置決めピン58と各位置決め孔36とが嵌り合って、筐体20に対してリールユニット40が位置決めされた状態では、固定部34が被固定部59の内側に収まるようになっている。
【００２６】
また、被固定部59の中央付近には、固定用貫通孔60が設けられている。また、固定用貫通孔60の両側には、被固定部59を貫通する横長四角形の２つの前面位置決め孔61が設けられている。
そして、各位置決めピン58と各位置決め孔36とが嵌り合い、筐体20に対してリールユニット40が位置決めされ、固定部34が被固定部59の内側に収まった状態では、各前面位置決め突起39が各前面位置決め孔61にそれぞれ嵌るようになっている。これにより、リールユニット40の前面が突出体30の前面に対して位置決めされる。
また、各位置決めピン58と各位置決め孔36とが嵌り合い、筐体20に対してリールユニット40が位置決めされ、固定部34が被固定部59の内側に収まった状態では、固定用貫通孔60は、固定用ネジ孔38の前方に位置するようになっている。つまり、各位置決めピン58と各位置決め孔36とが嵌り合い、筐体20に対してリールユニット40が位置決めされ、固定部34が被固定部59の内側に収まった状態では、固定用貫通孔60の中心は、固定用ネジ孔38の中心と一致するようになっている。そして、この状態で、固定用貫通孔60を通した固定用ネジ62を固定用ネジ孔38に止めると、被固定部59が固定部34に固定され、ひいてはリールユニット40が筐体20内部の所定位置に固定されるのである。
【００２７】
（リールユニット40の筐体20への固定）
まず、図１に示すように、開口部から筐体20の内部にリールユニット40を挿入して、突出体30の上の所定位置にリールユニット40を載せる。そうすると、突出体30に設けられている第１ガイド35とフレーム50の下面に設けられている第２ガイド57とが係合する。その後にリールユニット40を奥方向へ押し込むようにして第１ガイド35に沿って後方へ摺動移動させ、リールユニット40の背面を背面板24の内面に当接させると、フレーム50の背面に設けられている位置決め部としての各位置決めピン58が、被位置決め部としての各位置決め孔36にそれぞれ嵌って、筐体20に対してリールユニット40が位置決めされる。同時に、固定部34が被固定部59の内部に収まり、各前面位置決め突起39が各前面位置決め孔61にそれぞれ嵌って、リールユニット40の前面が突出体30の前面に対して位置決めされる。同時に、固定用貫通孔60の中心が、固定用ネジ孔38の中心と一致する。また、この状態では、リールユニット40は、筐体20に対して上下方向及び左右方向の移動は規制されるものの、前後方向には移動可能である。そして、この状態で、固定用貫通孔60を通した固定用ネジ62を固定用ネジ孔38に止める。そうすると、被固定部59が固定部34に固定され、ひいてはリールユニット40が筐体20の内部の所定位置に固定される。また、この状態では、リールユニット40は、筐体20に対して上下方向及び左右方向のみならず、前後方向にも移動が規制される。
【００２８】
なお、リールユニット40を突出体30の上に載せるときに、リールユニット40が所定位置に対して左右のいずれかにずれていると、第１ガイド35と第２ガイド57とが係合しない。このような場合、左右のいずれかのリブ56が、突出体30の上面部33の上に乗り上げたような状態になる。そうすると、リールユニット40が筐体20に対して左右のいずれかに傾くので、第１ガイド35と第２ガイド57とが係合していないことがわかる。また、このような場合、リールユニット40を突出体30の上で左右のいずれかの方向にずらすと、２つのリブ56の間に突出体30の前方突出部32が収まり、第１ガイド35と第２ガイド57が係合する。
（リールユニット40の筐体20からの取り外し）
まず、固定用ネジ62を外す。そうすると、リールユニット40が突出体30の上を前方向に移動可能になる。この状態で、リールユニット40を手前側に引き出すようにして第１ガイド35に沿って前方へ摺動移動させると、各位置決めピン58が各位置決め孔36から抜ける。そうすると、リールユニット40を上方へ持ち上げることができるようになる。これにより、リールユニット40を筐体20から取り外すことができる。
【００２９】
このように、本実施の形態に係るスロットマシンは、背面板24の内面の所定位置から前方へ向けて突出する突出体30を設けている。この突出体30の上にリールユニット40を載せると、突出体30に設けられている第１ガイド35とフレーム50の下面に設けられている第２ガイド57とが係合する。その後に第１ガイド35に沿ってリールユニット40を奥方向へ押し込むと、フレーム50の背面に設けられている位置決め部と、突出体30の所定位置に設けられている被位置決め部とが嵌り合って、筐体20に対してリールユニット40が位置決めされる。その後にフレーム50の前面に設けた被固定部59を突出体30の前面に設けた固定部34に固定すると、リールユニット40が筐体20内部の所定位置に固定される。また、被固定部59の固定部34への固定は、１本の固定用ネジ62で行われる。したがって、リールユニット40の筐体20への固定作業が容易なのである。また、固定用ネジ62を外し、その後に第１ガイド35に沿ってリールユニット40を手前側に引き出し、その後にリールユニット40を上方へ持ち上げると、筐体20からリールユニット40を取り外すことができる。したがって、リールユニット40の筐体20からの取り外し作業も容易なのである。
【００３０】
また、本実施の形態に係るスロットマシンは、固定部34を突出体30の前端に設けるとともに、被固定部59をリールユニット40の下面の前端に設けている。このため、被固定部59の固定部34への固定作業、具体的には、被固定部59の固定部34へのネジ止め作業を、リールユニット40の手前側で行える。したがって、リールユニット40の横面板53と筐体20の側面板23との間の狭い隙間に手を入れてのネジ止め作業が必要なく、リールユニット40の筐体20への着脱作業がより一層容易なのである。
また、本実施の形態に係るスロットマシンは、フレーム50の背面に、位置決め部としての位置決めピン58を設けるとともに、突出体30の所定位置に、被位置決め部としての位置決め孔36を設けている。そして、リールユニット40を第１ガイド35に沿って奥方向へ押し込むと、位置決めピン58と位置決め孔36とが嵌り合って、筐体20に対してリールユニット40が位置決めされる。したがって、筐体20に対するリールユニット40の位置決めが比較的簡単な構成で確実に行えるのである。
【００３１】
また、本実施の形態に係るスロットマシンは、突出体30と側面板23との間に隙間を設けている。したがって、ハーネスの配線が容易なのである。
【図面の簡単な説明】
【００３２】
【図１】本発明の実施の形態における筐体、突出体及びリールユニットの斜視図。
【図２】本発明の実施の形態における筐体、突出体及びリールユニットの正面図。
【図３】本発明の実施の形態における突出体及びリールユニットの側面図（分離した状態）。
【図４】本発明の実施の形態における突出体及びリールユニットの側面図（係合した状態）。
【図５】本発明の実施の形態における突出体及びリールユニットの下面図（分離した状態）。
【図６】本発明の実施の形態における突出体及びリールユニットの下面図（係合した状態）。
【図７】本発明の実施の形態における突出体及びリールユニットの背面図（分離した状態）。
【図８】本発明の実施の形態における突出体及びリールユニットの背面図（係合した状態）。
【図９】本発明の実施の形態におけるリールユニットの上面図。
【図１０】本発明の実施の形態における筐体、突出体及びリールユニットの側断面図（分離した状態）。
【図１１】本発明の実施の形態における筐体、突出体及びリールユニットの側断面図（係合した状態）。
【図１２】本発明の実施の形態における筐体の要部背面図。
【符号の説明】
【００３３】
20  筐体                       21  底板
22  天板                       23  側面板
24  背面板                     25  貫通大孔
26  貫通小孔                   27  取付用ネジ孔
30  突出体                     31  取付部
32  前方突出部                 33  上面部
34  固定部                     35  第１ガイド
36  位置決め孔                 37  取付用貫通孔
38  固定用ネジ孔               39  前面位置決め突起
40  リールユニット             50  フレーム
51  下面板                     52  上面板
53  横面板                     54  後面板
55  後方突出部                 56  リブ
57  第２ガイド                 58  位置決めピン
59  被固定部                   60  固定用貫通孔
61  前面位置決め孔             62  固定用ネジ
70  支持板                     80  モータ
90  回転リール
【図１】
2005152430.tif 000003
【図２】
2005152430.tif 000004
【図３】
2005152430.tif 000005
【図４】
2005152430.tif 000006
【図５】
2005152430.tif 000007
【図６】
2005152430.tif 000008
【図７】
2005152430.tif 000009
【図８】
2005152430.tif 000010
【図９】
2005152430.tif 000011
【図１０】
2005152430.tif 000012
【図１１】
2005152430.tif 000013
【図１２】
2005152430.tif 000014